(57)【特許請求の範囲】
【請求項１】
データを画面表示する表示部と、上記表示部の横側に連設され、当該表示部の表示データの切替操作を行う複数の操作キーからなる操作キー群とを有し、
上記操作キー群は、
上記表示部の横側であって縦方向に上下に配設された第一及び第二のキーと、
上記表示部の表示画面の表示を表示画面上の中心を軸として１８０°回転させるとともに、これに連動して上記第一及び第二のキーの機能を入れ替える反転キーと、
を備えたことを特徴とする電子新聞リーダー。
【発明の詳細な説明】
【０００１】
【発明の属する技術分野】
この発明は、新聞社等が発行する電子新聞データを読み込んで表示する電子新聞リーダーに関するものである。
【０００２】
【従来の技術】
一般に新聞の配送には多くの人手と費用、時間が掛かっており、配送の省力化に対する要求が高まっている。また地球環境の面から見ても、到るところでの森林の伐採による環境破壊が指摘されてきており、ここに来て、ペーパーレスによる地球環境保護がおおいに注目を集めるに至っている。一方、新聞社の編集工程においては、新聞情報自体の電子化が進み、電子新聞システムの提案がされて来ている。
【０００３】
図６は従来の電子新聞システムの構成を示すブロック図である。図において、１は電子新聞データの発行を行う新聞社、２は新聞社１が作成した電子新聞データを発信する発信装置、３は発信装置２が発信した電子新聞データを各々の受信装置４に送信する交換網、５は受信装置４に取り付けられ、受信した電子新聞データを表示する電子新聞リーダーである。また、図７は図６に示す電子新聞リーダー５の構成を示す構成図であり、５１は電子新聞データを表示する表示部、５２は電子新聞データの内容である表示データ、５３はカーソル、５４は表示データ５２の表示内容を切り替える操作キー群であり、上方向カーソル移動キー５４１、下方向カーソル移動キー５４２、上方向ページ移動キー５４３、下方向ページ移動キー５４４を備え、各々のキーには、図７に示すように各キーに割り付けられた機能表示がされている。
【０００４】
次に動作について説明する。新聞社１が作成する電子新聞データは、発信装置２から交換網３を介して各々の受信装置４に送信される。電子新聞データを受信した受信装置４が電子新聞リーダー５に電子新聞データを読み込ませ、電子新聞リーダー５が読み込んだ電子新聞データを表示することで、読者は操作キー群５４を用いて表示データ５２を移動させながら、電子新聞を読む。この電子新聞リーダー５は、例えば満員電車等において、片手で吊革を持ちながら、もう一方の手で操作しながら読むことを想定して設計しているため、この操作キー群５４のキー割付機能は読者が片手でも操作し易いように割り付けられ、例えばカーソル５３毎に表示データを上方向に移動する場合は、図７に示すように操作キー群５４の上方に割り付けられた上方向カーソル移動キー５４１を使用し、下方向に移動する場合は、操作キー群５４の下方に割り付けられた下方向カーソル移動キー５４２を使用する。同様に、ページ単位に表示データ５２を移動する場合は、操作キー群５４の上方に割り付けられた上方向ページ移動キー５４３を使用し、下方向に移動する場合は、操作キー群５４の下方に割り付けられた下方向ページ移動キー５４４を使用する。尚、この従来例では、発信装置２は交換網３を使用して電子新聞データを受信装置４に発信しているが、電子新聞データが発信できれば有線・無線を問わずその他の通信回線が使用できることは言うまでもない。
【０００５】
【発明が解決しようとする課題】
従来の電子新聞リーダーは以上のように構成されており、読者が図７に示す電子新聞リーダー５によって表示データ５２を読む場合には、操作キー群５４が表示部５１に対して左側に配置してあるため、主として左手で操作キー群５４を操作しなければならず、右手では操作が行いにくい。そのため、読者が左手による操作に疲れて右手に持ち替えた場合、操作キー群５４が右手の指では届かず操作がしにくいという問題点があった。
【０００６】
この発明は、上記問題点を解決するために、右手でも、左手でも操作のしやすい電子新聞リーダーを提供するものである。
【０００７】
【課題を解決するための手段】
この発明に係わる電子新聞リーダは、データを画面表示する表示部と、表示部の横側に連設され、表示部の表示データの切替操作を行う複数の操作キーからなる操作キー群とを有し、操作キー群は、表示部の横側であって縦方向に上下に配設された第一及び第二のキーと、表示部の表示画面の表示を表示画面上の中心を軸として１８０°回転させるとともに、これに連動して第一及び第二のキーの機能を入れ替える反転キーと、を備えたものである。
【００１１】
【発明の実施の形態】
実施の形態１．
以下、この発明の一実施形態を図について説明する。図１はこの発明に関わる電子新聞リーダーの構成を示す構成図であり、操作キー群を表示部の左横側に配して読む場合の構成を示す。図中、図７と同一符号は同一、又は相当部分を示し説明を省略する。図において５ａは電子新聞リーダーであり、図７に示す電子新聞リーダー５とは操作キー群５４ａに反転キー５４５を設けた点、及び詳しくは後述するが、この反転キー５４５で表示データ５２を１８０°反転させた場合に連動してキー割付機能を反転した場合の機能表示を追加した点が相違する。また、図２は図１に示す電子新聞リーダー５ａにおいて、反転キー５４５により表示データ５２を１８０°反転させるとともに、キー操作群５４ａのキー割付も１８０°反転させて入れ替えた状態を説明する説明図である。つまり、図１で示す上方向カーソル移動キー５４１（第一のキー）を図２では下方向カーソル移動キー５４２（第一のキー）へキー割付が変更され、同様に図１で示す下方向カーソル移動キー５４２（第二のキー）、上方向ページ移動キー５４３（第一のキー）、下方向ページ移動キー５４４（第二のキー）は、図２では上方向カーソル移動キー５４１（第二のキー）、下方向ページ移動キー５４４（第一のキー）、上方向ページ移動キー５４３（第二のキー）に各々キー割付が変更されており、これらに応じた機能表示もされている。
【００１２】
また、図３は電子新聞リーダー５ａが図１に示す状態において、１画面が有する画素数分の表示データ５２を記憶するＶＲＡＭ６から表示部５１に表示する場合のスキャン方向を説明する説明図、図４は電子新聞リーダー５ａが図２に示す状態において、ＶＲＡＭ６に記憶される表示データ５２を表示部５１に表示する場合のスキャン方向を説明する説明図である。次に動作について説明するが、説明を簡単にするために、図１のように表示部５１の左側面に操作キー群５４ａを配置して電子新聞を読む状態を正転状態、図２のように表示部５１の右側面に操作キー群５４ａを配置して電子新聞を読む状態を反転状態と称して、以下説明する。
【００１３】
通常、左手で電子新聞リーダー５ａを操作する場合は、反転キー５４５により図１に示す正転状態として表示データ５２を読む。この場合、ＶＲＡＭ６が記憶する表示データ５２は、図３に示すように左上から右下にかけてスキャンされ、スキャンされた表示データ５２は表示部５１の左上から右下にかけて出力される。また、操作キー群５４ａも左手用に割り付け、割り付けた各キーに対する機能表示がされる。これにより、正転状態時には図１に示すように表示画面の左側に操作キー群５４ａを配置した状態で表示データ５２を読むことができるとともに、操作キー群５４ａも左手用に割り付けられて、それに応じた機能表示がされるため、左手による表示データ５２に対する操作が行い易い。
【００１４】
また、右手で電子新聞リーダー５ａを操作する場合は、反転キー５４５により図２に示す反転状態にして表示データ５２を読む。この場合、ＶＲＡＭ６が記憶する表示データ５２は、正転状態に対して１８０°反転させるため、図４に示すように右下から左上にかけてスキャンされ、スキャンされた表示データ５２は表示部５１の左上から右下にかけて出力される。また、操作キー群５４ａも右手用に１８０°反転させて割り付け、割り付けた各キーに対する機能表示がされる。これにより、反転状態時には図２に示すように表示画面の右側に操作キー群５４ａを配置した状態で表示データ５２を読むことができるとともに、キー割付も１８０°反転し、反転に応じた機能表示がされているので、図１の状態で左手によりキー操作を行う場合と同様なキー割付となるため、右手においても、表示データ５２に対する操作が行い易くなる。
【００１５】
尚、キー割付の変更においては、
（１）反転キー５４５に連動して操作キー群５４ａのキー割付の接続変更を行うスイッチ（図示せず）を設け、該スイッチが反転キー５４５の切替に応じて各々のキーに対応する割付パターンを設定する。
（２）操作キー群５４ａの割付パターンを予め記憶装置（図示せず）に記憶しておき、反転キー５４５の切替に応じた割付パターンを呼び出す等、複数の方法が考えられ、反転キー５４５の反転に応じたキー割付の変更を行うことは可能である。
【００１６】
以上、説明したように、反転キー５４５の操作により、この電子新聞リーダー５ａを操作する手に応じて操作キー群５４ａを表示部５１の右側面、又は左側面の何れにも対称的に配置することが出来るので、適切なキー割付を右手、及び左手に提供でき、電子新聞リーダーに対する操作が行い易くなる。
【００１７】
実施の形態２．
図５は実施の形態２に示す電子新聞リーダー５ｂの構成を示す構成図であり、図中、図１と同一符号は同一、又は相当部分を示し説明を省略する。図において、５４ｂは操作キー群であり、図１に示す操作キー群５４ａとは、反転キー５４５ａの機能を表示データ５２のみの反転とし、操作キー群５４ｂのキー割付は反転しない点、及び操作キー群５４ｂの割付機能表示を画面表示の反転前と反転後の各々に対応して対称的に表示した点が相違する。この様な実施形態においては、キー割付パターンは例えば上方向カーソル移動キー５４１と下方向カーソル移動キー５４２との関係のように互いに関連するキー割付を、表示部５１に対して横方向に配置すると認識誤りが少なく操作がしやすくなる。尚、表示データ５２の反転方法は、図３及び図４で示した反転方法と同じであり、説明を省略する。
【００１８】
以上のように、この実施形態では、表示データのみの反転としたため、図１に示す電子新聞リーダー５ａよりも構成が簡単な電子新聞リーダーを提供できる。
【００１９】
【発明の効果】
以上のように、この発明によれば、電子新聞リーダーは、データを画面表示する表示部と、表示部の横側に連設され、表示部の表示データの切替操作を行う複数の操作キーからなる操作キー群とを有し、操作キー群は、表示部の横側であって縦方向に上下に配設された第一及び第二のキーと、表示部の表示画面の表示を表示画面上の中心を軸として１８０°回転させるとともに、これに連動して第一及び第二のキーの機能を入れ替える反転キーと、を備えているので、右手から左手へあるいは左手から右手へ電子新聞リーダーを持ち替えた場合でも操作がしやすいという効果を得ることができる。
【図面の簡単な説明】
【図１】この発明の実施の形態１による電子新聞リーダーにおいて、操作キー群を表示部の左側に配して読む場合の構成を示す構成図である。
【図２】この発明の実施の形態１による電子新聞リーダーにおいて、操作キー群を表示部の右側に配して読む場合の構成を示す構成図である。
【図３】図１の状態で、ＶＲＡＭからデータを読む場合のスキャン方向を説明する説明図である。
【図４】図２の状態で、ＶＲＡＭからデータを読む場合のスキャン方向を説明する説明図である。
【図５】この発明の実施の形態２による電子新聞リーダーの構成を示す構成図である。
【図６】従来の電子新聞システムの構成を示すブロック図である。
【図７】従来の電子新聞リーダーの構成を示す構成図である。
【符号の説明】
５ａ、５ｂ  電子新聞リーダー本体
５４ａ、５４ｂ  操作キー群
５４５、５４５ａ  反転キー
【図１】
0003586951.tif 000002
【図２】
0003586951.tif 000003
【図３】
0003586951.tif 000004
【図４】
0003586951.tif 000005
【図５】
0003586951.tif 000006
【図６】
0003586951.tif 000007
【図７】
0003586951.tif 000008